(57)【要約】【課題】形状や寸法を変えることができる的当て玩具を提供する。【解決手段】１以上の所定形状の組合せフレーム７に組合わせ可能に構成された複数の個別フレーム９を用いる。複数の個別フレーム９が組み合わされて構成された組合せフレーム７をフレーム保持手段１７により保持する。複数の個別フレーム９には、それぞれ取付構造を介して的部１９を取り付ける。本発明によれば、的当て玩具１の使用場所の大きさに応じて組合せフレーム７の形状寸法を変えることにより、難易度を変えることができるので、プレイヤの興味を長期間にわたって維持することが可能になる。また組合せフレームの形状寸法を変えることにより、的当て玩具１を様々な場所で使用することが可能になる。【選択図】  図１
2004358101.tif 000002
【特許請求の範囲】
【請求項１】
的部を備えた的当て玩具であって、
１以上の形状に組合わせ可能に構成された複数の個別フレームと、
１つの前記個別フレームまたは前記複数の個別フレームが組み合わされて構成された組合せフレームを保持するフレーム保持手段と、
前記複数の個別フレームに設けられる複数の的部とからなる的当て玩具。
【請求項２】
前記的部に当てる的当て具を更に備えている請求項１に記載の的当て玩具。
【請求項３】
前記個別フレームに取り付けられた前記的部に所定の力以上の外力が加えられると、前記的部が前記個別フレームから脱落するように、前記的部を前記個別フレームに取り付ける取付構造を有していることを特徴とする請求項１または２に記載の的当て玩具。
【請求項４】
前記個別フレームに取り付けられた前記的部に所定の力以上の外力が加えられると、前記的部が前記個別フレームに対して傾倒するように、前記的部を前記個別フレームに取り付ける取付構造を有していることを特徴とする請求項１または２に記載の的当て玩具。
【請求項５】
前記複数の個別フレームは、それぞれ任意の２以上の前記個別フレームを上下方向及び／または横方向に並んだ状態に組み合わせることを可能にするように構成されている請求項１，２，３または４に記載の的当て玩具。
【請求項６】
前記フレーム保持手段は、
設置面上に置かれ且つ前記組合せフレームの下側部分と嵌合する２以上の嵌合部材と、
前記設置面上に置かれ且つ前記２以上の嵌合部材のそれぞれに取り付けられて前記組合せフレームの前記下側部分が延びる方向と直交する方向に前記設置面上を延びる２つの延長部材とからなる請求項１，２，３または４に記載の的当て玩具。
【請求項７】
前記フレーム保持手段は、
設置面上に置かれ且つ前記組合せフレームの下側辺部の両端部分と嵌合する２つの嵌合部材と、
前記設置面上に置かれ且つ前記２つの嵌合部材のそれぞれに取り付けられて前記組合せフレームの下側辺部が延びる方向と直交する方向に前記設置面上を延びる２つの延長部材と、
前記設置面上に置かれ且つ前記２つの嵌合部材の間に位置して前記下側辺部の一部分と嵌合する１以上の補助嵌合部材とからなる請求項１，２，３または４に記載の的当て玩具。
【請求項８】
前記嵌合部材と前記補助嵌合部材とは、同じ構造を有している請求項７に記載の的当て玩具。
【請求項９】
前記複数の個別フレームは、すべて、
所定の間隔をあけて配置された一対の縦フレーム部と、
前記一対の縦フレーム部の上端部を連結する上側横フレーム部と、
前記一対の縦フレーム部の下端部を連結する下側横フレーム部と、
前記一対の縦フレーム部の上部に設けられた上下方向被嵌合部及び前記下端部に設けられた上下方向嵌合部と、
前記一対の縦フレーム部の一方の外壁部に設けられた横方向被嵌合部及び前記一対の縦フレーム部の他方の外壁部に設けられた横方向嵌合部とを備えており、
前記上下方向被嵌合部及び前記上下方向嵌合部は、上側に位置する前記個別フレームの前記上下方向嵌合部が下側に位置する別の前記個別フレームの前記上下方向被嵌合部に嵌合されるように構成され、
前記横方向被嵌合部及び前記横方向嵌合部は、１つの前記個別フレームの前記横方向嵌合部が横方向に隣接する別の前記個別フレームの前記横方向被嵌合部に嵌合されるように構成されている請求項１，２または３に記載の的当て玩具。
【請求項１０】
前記フレーム保持手段は、
設置面上に置かれ且つ前記組合せフレームの下側辺部の一部分と嵌合する２以上の嵌合部材を有しており、
前記下側辺部の一部分は、前記設置面と対向する位置にある組合せフレームを構成する複数の前記個別フレームの前記上下方向嵌合部によって構成され、
前記２以上の嵌合部材には、前記上下方向嵌合部と嵌合する構造の被嵌合部が設けられている請求項９に記載の的当て玩具。
【請求項１１】
前記的部の外周部には、複数の嵌合用凹部及び／または複数の嵌合用凸部が設けられており、
前記一対の縦フレーム部、前記上側横フレーム部及び前記下側横フレーム部によって構成される枠体の内壁部には、前記複数の嵌合用凹部及び／または複数の嵌合用凸部が嵌合される複数の被嵌合用凸部及び／または複数の被嵌合用凹部が設けられており、
前記複数の嵌合用凹部及び／または複数の嵌合用凸部と前記複数の被嵌合用凸部及び／または複数の被嵌合用凹部により前記取付構造が構成されている請求項９に記載の的当て玩具。
【請求項１２】
前記枠体は、前記的当て具が内部を通過し得る形状寸法を有している請求項１１に記載の的当て玩具。
【請求項１３】
プレイヤが足で蹴ったボールを当てる的部を備えた蹴球的当て玩具であって、
１以上の形状に組合わせ可能に構成された複数の個別フレームと、
１つの前記個別フレームまたは前記複数の個別フレームが組み合わされて構成された組合せフレームを保持するフレーム保持手段と、
前記複数の個別フレームにそれぞれ取付構造を介して取付られる複数の的部とからなり、
前記フレーム保持手段は、
設置面上に置かれ且つ前記組合せフレームの下側部分の両端部と嵌合する２つの嵌合部材と、
前記設置面上に置かれ且つ前記２つの嵌合部材のそれぞれに取り付けられて前記組合せフレームの前記下側部分が延びる方向と直交する方向に前記設置面上を延びる２つの延長部材と、
前記設置面上に置かれ且つ前記２つの嵌合部材の間に位置して前記下側部分と嵌合する１以上の補助嵌合部材とからなる蹴球的当て玩具。
【発明の詳細な説明】
【０００１】
【発明の属する技術分野】
本発明は、的当て具等を当てる的部を備えた的当て玩具に関するものである。
【０００２】
【従来の技術】
従来、ボール等の的当て具が的部に当たると、的部が落下する構造を備えた的当て玩具が知られている。従来の的当て玩具は、１つのフレームに複数の的部が着脱可能に取り付けられた構造を有している。
【０００３】
また特開２００２−５２２４６号公報には、表示画面に的を表示し、ボールを表示画面に表示したターゲットに向かって蹴って遊ぶゲーム機が示されている。
【０００４】
【発明が解決しようとする課題】
ゲーム機は、個人的に遊ぶのには高価である。また従来の的当て玩具では、複数の的部が取り付けられるフレームの形状が一定であるため、的当て玩具に慣れてきたプレイヤの興味を長期間にわたって維持することが難しい問題があった。またフレームの形状寸法が大きくなると、玩具の使用場所が限定され、屋内の使用に適さず、屋外でしか使用できなくなる問題が生じる。また従来の的当て玩具では、比較的大きな収納スペースを必要とする問題があった。
【０００５】
本発明の目的は、プレイヤの興味を長期間にわたって維持できる的当て玩具を提供することにある。
【０００６】
本発明の目的は、形状や寸法を変えることができる的当て玩具を提供することにある。
【０００７】
本発明の他の目的は、使用しないときにはコンパクトに収納することができる的当て玩具を提供することにある。
【０００８】
本発明の更に他の目的は、容易に倒れ難い的当て玩具を提供することにある。
【０００９】
本発明の他の目的は、組み立てが容易な的当て玩具を提供することにある。
【００１０】
【課題を解決するための手段】
本発明は、ボール等の的当て具を当てる的部を備えた的当て玩具を対象とする。本発明の的当て玩具は、１以上の所定形状に組合わせ可能に構成された複数の個別フレームを用いる。そして１つの個別フレームまたは複数の個別フレームが組み合わされて構成された組合せフレームをフレーム保持手段により保持する。複数の個別フレームには、それぞれ的部が設けられる。本発明によれば、複数の個別フレームの組合せ個数や組合せ位置を変えることにより、組合せフレームの形状寸法をある程度任意に変えることができる。その結果、組合せフレームの形状寸法を変えることにより、難易度を変えることができるので、プレイヤの興味を長期間にわたって維持することが可能になる。また的当て玩具の使用場所の大きさに応じて組合せフレームの形状寸法を変えることにより、的当て玩具を様々な場所で使用することができる。またさらに玩具を使用しない場合には、フレーム保持手段を組合せフレームから取り外し、組合せフレームを分解して複数の個別フレームの状態に戻せば、小さな収納スペース内に個別フレーム等のパーツをコンパクトに収納することができる。
【００１１】
的部は、個別フレームに取付構造を介して取り付けるものでも良いし，個別フレームから取り外すことができないものでもよい。的部を射る手段としては、ボール、ダーツ、矢、射的の玉等の的当て具を用いることができる外、水や空気のように形状が特定されないもの、さらには赤外線等の光線でもよい。使用する的部は、的部を射る手段によって適宜にその構成を変えればよい。
【００１２】
的部が個別フレームに取付られる場合の個別フレームへの的部の取付構造は、的当て具が的部に当たったことを的部の変位により示すことができるようにするものであれば、どのような構造でもよい。例えば、個別フレームに取り付けられた的部に所定の力以上の外力が加えられると、的部が個別フレームから脱落するように、的部を個別フレームに取り付ける取付構造を採用することができる。また個別フレームに取り付けられた的部に所定の力以上の外力が加えられると、的部が個別フレームに対して傾倒するように、的部を個別フレームに取り付ける取付構造を採用してもよい。
【００１３】
また複数の個別フレームは、それぞれ任意の２以上の個別フレームを上下方向及び／または横方向に並んだ状態に組み合わせることを可能にするように構成することができる。このようにすると組合せフレームの面積を上下方向及び横方向または左右方向のいずれの方向にも任意に広げることができるので、組合せフレームの形状のバリーションを容易に増やすことができる。
【００１４】
このような組合せを可能にするためには、複数の個別フレームを、すべて、以下のように構成するのが好ましい。すなわち各個別フレームを、所定の間隔をあけて配置された一対の縦フレーム部と、一対の縦フレーム部の上端部を連結する上側横フレーム部と、一対の縦フレーム部の下端部を連結する下側横フレーム部とを備えた構造とする。そして一対の縦フレーム部の上部に上下方向被嵌合部を設け、その下端部に上下方向嵌合部を設ける。また一対の縦フレーム部の一方の外壁部に横方向被嵌合部を設け、一対の縦フレーム部の他方の外壁部に横方向嵌合部を設ける。上下方向被嵌合部及び上下方向嵌合部は、上側に位置する個別フレームの上下方向嵌合部が下側に位置する別の個別フレームの上下方向被嵌合部に嵌合されるように構成する。また横方向被嵌合部及び横方向嵌合部は、１つの個別フレームの横方向嵌合部が横方向に隣接する別の個別フレームの横方向被嵌合部に嵌合されるように構成する。このようにすると、個別フレームとは別になった連結部品を用意することなく、任意の数の個別フレームを上下方向及び横方向に連結した状態で組み合わせることができる。そのため少ない部品点数で、組合せフレームを簡単に構成することができる。
【００１５】
またフレーム保持手段は、設置面上に置かれ且つ組合せフレームの下側辺部の一部分と嵌合する２以上の嵌合部材と、設置面上に置かれ且つ２以上の嵌合部材のそれぞれに取り付けられて組合せフレームの下側辺部が延びる方向と直交する方向（前後方向）に設置面上を延びる２つの延長部材とから構成するのが好ましい。嵌合部材に対してこのような２つの延長部材を設けると、組合せフレームに的当て具が当たったときに加わる外力及びその反力の発生で、組合せフレームが前後に傾倒するのを有効に防止することができる。
【００１６】
なお設置面上に置かれ且つ２つの嵌合部材の間に位置して下側辺部の一部分と嵌合する１以上の補助嵌合部材を更に設けると、組合せフレームは更に倒れ難くなる。補助嵌合部材を用いる場合に、補助嵌合部材を嵌合部材と同じ構造にすれば、使用する部品の共通化を図ることができて部品の種類を減らすことができ、玩具の製造価格を下げることが可能になる。個別フレームに前述の上下方向嵌合部を設ける場合には、前述の組合せフレームの下側辺部の一部分を、設置面と対向する位置にある組合せフレームを構成する複数の個別フレームの上下方向嵌合部によって構成する。この場合には、２以上の嵌合部材に、上下方向嵌合部と嵌合する構造の被嵌合部を設ける。このようにすると、個別フレームの上下方向嵌合部を嵌合部材及び／または補助嵌合部材の被嵌合部に嵌合させることにより、組合せフレームをフレーム保持手段に確実に保持させることができる。
【００１７】
【発明の実施の形態】
以下図面を参照して本発明の的当て玩具の実施の形態を詳細に説明する。図１は、本実施の形態の的当て玩具１の一例の斜視図とプレイヤ３と的当て具５とを示している。この実施の形態の的当て玩具１は、プレイヤ３が的当て具５としての球（ボール）を足で蹴って的に当て、的に的当て具５を当てた数により勝敗を決定する蹴球的当て玩具である。この的当て玩具１では、１以上の所定形状の組合せフレーム７に組合わせ可能に構成された９個の個別フレーム９を用いる。そして複数の個別フレーム９が組み合わされて構成された組合せフレーム７を、嵌合部材１１と、嵌合部材１１に取り付けられる延長部材１３と、補助嵌合部材１５とからなるフレーム保持手段１７により保持する。各個別フレーム９には、それぞれ図示しない取付構造を介してパネル状の的部１９が取り付けられている。なおパネル状の的部１９には、数字、文字、記号、絵等の適宜の表示が実際に描かれている。
【００１８】
個別フレーム９の的部１９の取付構造は、的当て具５が的部１９に当たったことを的部１９の変位（脱落や傾倒）により示すことができるものであれば、どのような構造でもよい。この実施の形態では、個別フレーム９に取り付けられた的部１９に的当て具５から所定の力以上の外力が加えられると、的部１９が個別フレーム９から脱落するように、的部１９を個別フレーム９に取り付ける取付構造を採用している。後により詳細な実施の形態を説明する際に詳しく説明するが、図２に示すように、個別フレーム９の上側横フレーム部９ａと下側横フレーム部９ｂの内壁部にそれぞれ２つずつ設けた凹部２１と、的部１９の上側端面部１９ａと下側端面部１９ｂにそれぞれ２つずつ設けた凸部２３との嵌合構造を取付構造として、的部１９を個別フレーム９に取り付けている。
【００１９】
また個別フレーム９の一対の縦フレーム部９ｃ及び９ｄの上端部には、上下方向被嵌合部として用いられる嵌合用孔部９ｅがそれぞれ形成されており、一対の縦フレーム部９ｃ及び９ｄの下端部には上下方向嵌合部として用いられる嵌合用脚部９ｆがそれぞれ設けられている。図２には図示していないが、縦フレーム部９ｃの外壁部には後の詳細な実施の形態で説明する横方向被嵌合部が設けられており、また縦フレーム部９ｄの他方の外壁部には隣接する他の個別フレームに設けられる横方向被嵌合部が嵌合される横方向嵌合部が設けられている。
【００２０】
図３には、嵌合部材１１と、嵌合部材１１に取り付けられる２つの延長部材１３の斜視図を示している。後に詳しく説明するが、嵌合部材１１の両端部には、延長部材１３が嵌合される突出部１１ａがそれぞれ設けられている。また嵌合部材１１には、個別フレーム９の嵌合用脚部９ｆが嵌合される被嵌合部としての孔部１１ｂが２つ形成されている。孔部１１ｂが２つ形成されているのは、この実施の形態では、嵌合部材１１と同じものを、図１の補助嵌合部材１５として用いているためである。すなわち嵌合部材１１と同じものを補助嵌合部材１５として用いる場合には、隣接する２つの個別フレームの隣接する２つの嵌合用脚部がこれらの孔部１１ｂに嵌合されることになる。２つの延長部材１３の端部には、突出部１１ａと嵌合される嵌合溝が形成されている。２つの延長部材１３は、嵌合部材に取り付けられた状態で、組合せフレーム７の下側辺部が延びる方向と直交する方向に設置面上を延びる構成を有している。なおこの点も後の詳細な実施の形態において詳しく説明する。
【００２１】
図４に示すように、図１に示した実施の形態は、それぞれ的部１９を備えた９個の個別フレーム９が、３個×３個の升目を構成するように組み合わされて、正方形形状の組合せフレーム７が構成されている。
【００２２】
複数枚の個別フレーム９の組合せ方は、任意である。図５に示した例では、４個の個別フレーム９を上下方向に並ぶように組み合わせた１つの組合せフレーム７Ａを構成し、この組合せフレーム７Ａをフレーム保持手段１７で保持している。また図６に示した例では、４枚の個別フレーム９を横方向に並べて１つの組合せフレーム７Ｂを構成している。更に図７に示した例では、図６の組合せフレーム７Ｂの上に更に４枚の個別フレーム９を並べて１つの組合せフレーム７Ｃを構成している。図５乃至図７に示すように、複数の個別フレーム９の組合せは任意である。
【００２３】
図８（Ａ）及び（Ｂ）は、より具体的な的当て玩具の実施の形態の正面図及び右側面図を示している。なお図８には、図１に示した実施の形態と同じ部材には、図１に付した符号の数に１００の数を加えた数の符号を付してある。図９に示（Ａ）乃至（Ｈ）に示すように、この実施の形態で用いる各個別フレーム１０９は、二つ割りのプラスチック成型品１００Ａ及び１００Ｂが組み合わされて構成されている。図１０には、この二つ割りのプラスチック成型品１００Ｂの端面図が示されている。なお理解を容易にするために端面にはハッチングが付してある。また図１０においては、個別フレームの各部を構成する半部部分に対しても図９に示した各部の符号を付してある。図９及び図１０を用いて個別フレーム１０９の詳細を説明する。個別フレーム１０９は、所定の間隔をあけて配置された一対の縦フレーム部１０９ｃ及び１０９ｄと、一対の縦フレーム部１０９ｃ及び１０９ｄの上端部を連結する上側横フレーム部１０９ａと、一対の縦フレーム部１０９ｃ及び１０９ｄの下端部を連結する下側横フレーム部１０９ｂとを備えている。各フレーム部１０９ａ〜１０９ｄの外壁部の一対の角部には、各フレーム部１０９ａ〜１０９ｄの長手方向に並ぶように複数の凹部１０９ｈが形成されている。これらの凹部１０９ｈは、各フレーム部の機械的強度を向上させるために形成されたものである。また下側横フレーム部１０９ｂの前方部分には、下側横フレーム部１０９ｂの上方と前方に向かって開口する細長い凹部１０９ｉが形成されている。この凹部１０９ｉは、個別フレーム１０９に的部１１９を取り付ける際に、プレイヤーが手の指を指し入れる空間を形成して、取付作業を容易に行えるようにするために設けられている。また縦フレーム部１０９ｃの外壁部には、横方向嵌合部を構成するスライド形突出部１０９ｊが一体に設けられている。図９（Ｈ）の拡大図に示すように、このスライド形突出部１０９ｊは、逆Ｌ字形の本体部１０９ｋと、この本体部１０９ｋの内側に位置して本体部１０９ｋの内側領域を半分に仕切る仕切り壁部１０９ｍとから構成されている。また縦フレーム部１０９ｄの外壁部には、スライド形突出部１０９ｊが嵌合される横方向被嵌合部を構成する被スライド形孔部１０９ｎが形成されている。図９（Ｂ）に示されるように、この被スライド形孔部１０９ｎは、スライド形突出部１０９ｊの本体部１０９ｋが嵌合される幅広孔部分１０９ｐとこの幅広孔部分１０９ｐに連続して形成されてスライド形突出部１０９ｊの仕切り壁部１０９ｍ［図９（Ｈ）］がスライド自在に嵌合される幅狭孔部分１０９ｑとから構成される。隣接する２つの個別フレーム１０９を横方向に連結する場合には、一方の個別フレームの被スライド形孔部１０９ｎに他方の個別フレームのスライド形突出部１０９ｊを嵌合させ、その後一方の個別フレームに対して他方の個別フレームを下側に向かってスライドさせて、スライド形突出部１０９ｊの仕切り壁部１０９ｍを、幅狭孔部分１０９ｑに嵌合させる。このようにするとスライド形突出部１０９ｊの本体部１０９ｋが、幅狭孔部分１０９ｑの両側に位置する壁に当接して本体部１０９ｋの横方向への抜け止めが図られる。連結された２つの個別フレームを分離する場合には、一方の個別フレームに対して他方の個別フレームを上側に向かってスライドさせた後、両個別フレームを横方向に離して、スライド形突出部１０９ｊを幅広孔部分１０９ｐから抜けばよい。また上下方向に位置する２つの個別フレームを連結する場合には、上側に位置する個別フレームの嵌合用脚部１０９ｆを下側に位置する個別フレームの嵌合用孔部１０９ｅ内に挿入すればよい。図８に示した組合せフレームは、このような組合せ作業を経て構成されている。
【００２４】
各個別フレーム１０９の上側横フレーム部１０９ａと下側横フレーム部１０９ｂの内壁部には、それぞれ間隔をあけて２つずつ孔部または凹部１２１が形成されている。また図１１に示すように的部１１９の上側端面部１１９ａと下側端面部１１９ｂにそれぞれ２つずつ間隔あけて凸部１２３が設けられている。これら凸部１２３と凹部１２１とにより取付構造が構成され、この取付構造により的部１１９が所定の外力の印加により脱落し得るように個別フレーム１０９に取り付けられる。
【００２５】
図１２（Ａ）〜（Ｅ）は、フレーム保持手段１１７の一部を構成するプラスチック製の嵌合部材１１１の正面図、平面図、左側面図、底面図及びＥ−Ｅ線断面図である。この嵌合部材１１１の両端部には、後述する延長部材１１３が嵌合される突出部１１１ａがそれぞれ設けられている。そしてこの突出部１１１ａと本体１１１ｃとの間には、嵌合溝１１１ｄが形成されている。本体１１１ｃには正面図で見て上方と前後方向とに向かって開口する嵌合用凹部１１１ｅが形成されている。この嵌合用凹部１１１ｅには、個別フレーム１０９の下側横フレーム部１０９ｂが嵌合される。そして本体１１１ｃには、嵌合用凹部１１１ｅ内に向かって開口するように２つの孔部１１１ｂが形成されている。２つの孔部１１１ｂには、個別フレーム１０９の嵌合用脚部１０９ｆが嵌合される。図１の実施の形態と同様に、この嵌合部材１１１は、補助嵌合部材１１５としても利用できる構造に構成されているため、本体１１１ｃには２つの孔部１１１ｂが形成されている。
【００２６】
嵌合部材１１１が、組合せフレーム１０７の下側辺部の両端部と嵌合する場合、両端に位置する嵌合用脚部１０９ｆが下側辺部の一部分となっている。また嵌合部材１１１が補助嵌合部材１１５として用いられる場合には、補助嵌合部材１１５として用いられる嵌合部材の２つの孔部１１１ｂに嵌合される嵌合用脚部１０９ｆが下側辺部の一部を構成することになる。
【００２７】
図１３（Ａ）乃至（Ｇ）は、嵌合部材１１１の両側に取り付けられるプラスチック製の延長部材１１３の正面図、左側面図、右側面図、平面図、底面図及びＦ−Ｆ線断面図、Ｇ−Ｇ線断面図である。この延長部材１１３は、底面側に開口する箱状本体部１１３ａの内部に複数の補強用の仕切壁１１３ｂを備えている。複数の補強用の仕切壁１１３ｂは、箱状本体部１１３ａの長手方向に間隔を開けて配置されている。箱状本体部１１３ａの一方の端部に位置する端部側壁部１１３ｃには、下側と端面外側に向かって開口する切り欠き部１１３ｄが形成されている。そして端部側壁部１１３ｃと隣接する仕切壁１１３ｂとの間に、嵌合溝１１３ｅが形成されている。図１２に示した嵌合部材１１１に延長部材１１３を取り付ける際には、嵌合溝１１３ｅ内に嵌合部材１１１の突出部１１１ａを嵌合させ、嵌合部材１１１の嵌合溝１１１ｄ内には延長部材１１３の切り欠き部１１３ｄの周囲を囲む端部側壁部１１３ｃの縁部が嵌合される。このようにして延長部材１１３が、嵌合部材１１１に対して取り付けられる。なお嵌合溝１１３ｅの幅寸法は、突出部１１１ａの厚み寸法よりも若干大きい寸法になるように定められている。
【００２８】
上記実施の形態によれば、１個の個別フレームの真上に他の個別フレームを配置することしかできない。しかしながら図１４に示すように、２つ隣接する個別フレーム２０９上に両者にまたがるようにして他の個別フレームを配置することも可能である。このようなことを可能にするためには、２つ隣接する個別フレーム２０９の上側横フレーム部２０９ａの中央部に嵌合用孔部２０９ｅとは別に追加の嵌合用孔部２０９ｅ’を形成しておけばよい。なおこのようにする場合には、個別フレーム２０９に設ける嵌合用脚部の長さを上側横フレーム部２０９ａ内に収納可能な長さにしておけばよい。
【００２９】
上記実施の形態では、的部が個別フレームから脱落する。しかしながら図１５に示すように、個別フレーム３０９の下側横フレーム部３０９ｂに蝶番３２０を介して的部３１９を取り付け、的部３１９の前方側端部を所定の力以上の外力で係合状態が解除可能な係合構造３２２を介して仮固定するようにすれば、的部３１９を個別フレーム３０９に対して傾倒可能に取り付けることができる。このような構造を採用すると的部の個別フレームの取付作業が簡単になる。
【００３０】
また上記実施の形態では、複数個の個別フレームをフレーム支持手段によって支持しているが、１個の個別フレームだけをフレーム支持手段により支持して的を構成するようにしてもよいのは勿論である。
【００３１】
また上記実施の形態は、蹴球により的部を狙うため、全体の形状寸法は大きくなる。しかしながら、例えば、小さなボール、ダーツ、矢等で的部を狙う場合には、的当て玩具全体の形状寸法を小さくすることができるのは勿論である。
【００３２】
更に上記実施の形態では、一対の縦フレーム部、前記上側横フレーム部及び前記下側横フレーム部によって構成される個別フレームの枠体の輪郭形状を正四角形にしているが、個別フレームの枠体の輪郭形状は実施の形態に限定されるものではなく、長方形や四角形以外の多角形、円形等でもよいのは勿論である。また上記実施の形態では、個別フレームの枠体の内壁部に凹部２１，１２１からなる嵌合用凹部を形成し、的部１９，１１９の外周部に嵌合用凸部を設け、的部１９，１１９の外周部に嵌合用凹部を設けてもよく、更に嵌合用凸部と嵌合用凹部とを混在させてもよいのは勿論である。また個別フレームの枠体の内壁面または的部の外周部の一方にのみ凸部を設けて、他方を平坦な状態のままにしてもよい。
【００３３】
また上記実施の形態では、ボールからなる的当て具を用いているが、例えば放水銃、空気放出銃、光線銃等を用いて個別フレームに設けた的部を射るようにしてもよい。光線銃を用いる場合には、的部には光線を受光する受光手段を配置すればよい。
【００３４】
【発明の効果】
本発明によれば、複数の個別フレームの組合せ個数や組合せ位置を変えることにより、組合せフレームの形状寸法をある程度任意に変えることができるので、組合せフレームの形状寸法を変えることにより、難易度を変えることができ、プレイヤの興味を長期間にわたって維持することが可能になる利点が得られる。また的当て玩具の使用場所の大きさに応じて組合せフレームの形状寸法を変えることにより、的当て玩具を様々な場所で使用することができる利点が得られる。さらに玩具を使用しない場合には、フレーム保持手段を組合せフレームから取り外し、組合せフレームを分解して複数の個別フレームの状態に戻せば、小さな収納スペース内に個別フレーム等のパーツをコンパクトに収納することができる利点が得られる。
【図面の簡単な説明】
【図１】本実施の形態の的当て玩具の一例の斜視図とプレイヤと的当て具とを示す図である。
【図２】個別フレームと的部の関係を示す斜視図である。
【図３】嵌合部材と延長部材の関係を示す斜視図である。
【図４】組合せフレームの組合せ方を説明するために用いる図である。
【図５】組合せフレームの変形例を示す斜視図である。
【図６】組合せフレームの他の変形例を示す斜視図である。
【図７】組合せフレームの更に他の変形例を示す斜視図である。
【図８】（Ａ）及び（Ｂ）は、より具体的な的当て玩具の実施の形態の正面図及び右側面図である。
【図９】（Ａ）乃至（Ｈ）は、図８の実施の形態で用いる個別フレームの正面図、左側面図、右側面図、平面図、底面図、図９（Ａ）のＦ−Ｆ線断面図、図９（Ａ）のＧ−Ｇ線断面図、及び要部拡大図である。
【図１０】図９（Ｃ）のＸ−Ｘ線拡大断面図である。
【図１１】（Ａ）乃至（Ｃ）は、図８の実施の形態で用いる的部部材の正面図、右側面図及び平面図である。
【図１２】（Ａ）乃至（Ｅ）は、図８の実施の形態で用いる嵌合部材の正面図、平面図、左側面図、底面図及びＥ−Ｅ線断面図である。
【図１３】（Ａ）乃至（Ｇ）は、図８の実施の形態で用いる延長部材の正面図、左側面図、右側面図、平面図、底面図及びＦ−Ｆ線断面図、Ｇ−Ｇ線断面図である。
【図１４】組合せフレームの変形例を示す斜視図である。
【図１５】的部の取付構造の他の例を示すための要部拡大断面図である。
【符号の説明】
１  的当て玩具
３  プレイヤ
５  的当て具
７  組合せフレーム
９  個別フレーム
１１  嵌合部材
１３  延長部材
１５  補助嵌合部材
１７  フレーム保持手段
１９  的部
【図１】
2004358101.tif 000003
【図２】
2004358101.tif 000004
【図３】
2004358101.tif 000005
【図４】
2004358101.tif 000006
【図５】
2004358101.tif 000007
【図６】
2004358101.tif 000008
【図７】
2004358101.tif 000009
【図８】
2004358101.tif 000010
【図９】
2004358101.tif 000011
【図１０】
2004358101.tif 000012
【図１１】
2004358101.tif 000013
【図１２】
2004358101.tif 000014
【図１３】
2004358101.tif 000015
【図１４】
2004358101.tif 000016
【図１５】
2004358101.tif 000017